(57)【特許請求の範囲】
【請求項１】
略平行になるようにして相互に取り付けられそれらの間に羽根室を形成している二つの地板と、複数枚のシャッタ羽根を往復回動可能な複数のアームに連結軸を介して枢支し前記羽根室内に配置されている先羽根と、前記地板の一方に回転可能に取り付けられており前記先羽根のアームを回動させる先羽根用駆動部材と、所定枚数のシャッタ羽根を往復回動可能な複数のアームに連結軸を介して枢支し前記羽根室内に配置されている後羽根と、前記地板の一方に回転可能に取り付けられており後羽根のアームを回動させる後羽根用駆動部材と、セット操作時に初期位置から作動して前記各駆動部材をセット状態に作動させ撮影時に前記先羽根用駆動部材の露光作動に先立ってセット位置から該初期位置に復帰するセット部材と、前記地板の一方に設けられており前記セット部材がセット位置にあるとき前記セット部材によって前記羽根室内に押し込まれ前記先羽根を押圧することで前記先羽根のシャッタ羽根同士の重合部を密着させ前記セット部材が初期位置へ復帰するとき前記羽根室から退去し前記先羽根に対する押圧を解く押さえ部材とを備えていることを特徴とするフォーカルプレンシャッタ。
【請求項２】
前記地板の一方と前記押さえ部材が合成樹脂で一体成形されていて、前記押さえ部材が可撓性を有していることを特徴とする請求項１に記載のフォーカルプレンシャッタ。
【請求項３】
前記押さえ部材が前記先羽根の少なくとも一つの連結軸を押圧し得るようにしたことを特徴とする請求項１又は２に記載のフォーカルプレンシャッタ。
【請求項４】
前記押さえ部材が前記地板の一方に形成された窓に臨んでおり、前記セット部材はセット位置において該窓を覆うようにしたことを特徴とする請求項１乃至３の何れかに記載のフォーカルプレンシャッタ。
【発明の詳細な説明】
【０００１】
【発明の属する技術分野】
本発明は、撮影に際して、先羽根と後羽根とを同一方向へ順次走行させ、それらによって形成されるスリットによりフィルムを露光するようにしたカメラ用フォーカルプレンシャッタに関する。
【０００２】
【従来の技術】
最近のフォーカルプレンシャッタにおける先羽根及び後羽根は、夫々、シャッタ地板に枢着された複数のアームに、分割された複数の羽根を、連結軸（リベット部材であって、通常、羽根ダボ又はダボと称している）によって順次枢支した構成とされている。そして、この構成によれば、分割羽根は、露光用の開口部を覆っているときには、相互の重合領域を小さくして展開状態になり、また、露光用の開口部から退いているときには、相互の重合領域を大きくして重畳状態となるので、シャッタの小型化、即ちカメラの小型化にとって、極めて有利な構成とされている。
【０００３】
ところで、このような構成において更に小型化を図るためには、展開状態における相互の重合領域を更に小さくすることと、分割羽根の枚数を増やすことが考えられる。しかしながら、展開状態における相互の重合領域を余り小さくすると、羽根相互間から漏光が生じ易くなってしまう。そのようなことは、ＩＳＯ１６００のような高感度のフィルムが好んで使用されるようになってきた現状においては、極めて問題である。また、分割羽根の枚数を増やすようにした場合には、上記の重合領域の数が増えることになってしまい、先羽根又は後羽根としての全体の重量が増え、シャッタ速度に影響を与えるようになってしまう。そこで、全体の重量を減らすための一手段として、各分割羽根の厚さを薄くすると、分割羽根相互間の密着性を維持するのが困難になり、漏光防止上やはり問題となってしまう。
【０００４】
他方、このように分割羽根を薄型化することは、シャッタ速度の高速化に対する要求からも必要となっている。従って、その場合には、分割羽根の枚数の如何を問わず、展開状態における分割羽根間からの漏光防止対策が必要になってくる。そこで、いずれにしても、このような分割羽根間からの漏光を防止するために、何らかの対策が必要となるわけだが、従来は、殆どの場合、各分割羽根に特殊な表面処理を施し、且つ組立加工上、各分割羽根の平面度を上げることで対応してきた。また、各分割羽根の重合部を特殊な形状又は構成にすることによって解決するようにした提案もなされている。更に、露光作動終了時におけるバウンド防止機能と併せて、露光作動終了状態において後羽根を構成している分割羽根間を、その平面とは垂直な方向から押し付けるようにしたものも知られている。
【０００５】
【発明が解決しようとする課題】
しかしながら、上記のように、加工上、特殊な表面処理を施したり、各分割羽根の平面度を上げるようにして対応することには、現状においては自ずから限度があり、これ以上精度が得られるようにするためにはコストが大きくなってしまうという問題点がある。また、分割羽根を特殊な形状又は構成にして対応することは、理論的には可能である。しかし、各羽根の走行機能に問題が生じないかどうか等についての確認がなされておらず、最善の状態で実施されるまでには紆余曲折が予想される。
【０００６】
更に、後羽根の分割羽根間を、その平面とは垂直な方向から押し付けるようにしたものは、最近のカメラの場合には、漏光対策としての意味がない。即ち、最近のカメラは、その殆どが自動巻き上げ式になっており、露光作動が終了すると、フィルムが自動的に巻き上げられ、それに連動してシャッタも自動的にセットされてしまう。そのため、後羽根が展開状態で静止している時間が殆どないからである。展開状態で長時間放置される可能性のあるのはセット状態における先羽根である。そのため、最近のカメラの場合には、先羽根の分割羽根間からの漏光を防止できるものでなければならない。しかも、先羽根の分割羽根を、上記と同様にして、その平面とは垂直な方向から押し付ける構成にした場合には、その押圧力が、先羽根の露光作動開始時において解かれていなければならず、その押圧力が負荷となって、先羽根の露光作動に悪影響を与えないようにしておかねばならない。
【０００７】
本発明は、このような問題点を解決するためになされたものであり、その目的とするところは、先羽根を構成している複数の分割羽根の展開状態において、各分割羽根間からの漏光を、低コストな簡単な構成で確実に防止でき、且つ先羽根の露光作動に何らの影響も与えることのないフォーカルプレンシャッタを提供することである。
【０００８】
【課題を解決するための手段】
上記の目的を達成するために、本発明におけるフォーカルプレンシャッタは、略平行になるようにして相互に取り付けられそれらの間に羽根室を形成している二つの地板と、複数枚のシャッタ羽根を往復回動可能な複数のアームに連結軸を介して枢支し前記羽根室内に配置されている先羽根と、前記地板の一方に回転可能に取り付けられており前記先羽根のアームを回動させる先羽根用駆動部材と、所定枚数のシャッタ羽根を往復回動可能な複数のアームに連結軸を介して枢支し前記羽根室内に配置されている後羽根と、前記地板の一方に回転可能に取り付けられており後羽根のアームを回動させる後羽根用駆動部材と、セット操作時に初期位置から作動して前記各駆動部材をセット状態に作動させ撮影時に前記先羽根用駆動部材の露光作動に先立ってセット位置から該初期位置に復帰するセット部材と、前記地板の一方に設けられており前記セット部材がセット位置にあるとき前記セット部材によって前記羽根室内に押し込まれ前記先羽根を押圧することで前記先羽根のシャッタ羽根同士の重合部を密着させ前記セット部材が初期位置へ復帰するとき前記羽根室から退去し前記先羽根に対する押圧を解く押さえ部材とを備えているようにする。
また、本発明のフォーカルプレンシャッタにおいては、好ましくは、前記地板の一方と前記押さえ部材が合成樹脂で一体成形されていて、前記押さえ部材が可撓性を有しているように構成する。
また、本発明のフォーカルプレンシャッタにおいては、好ましくは、前記押さえ部材が前記先羽根の少なくとも一つの連結軸を押圧し得るようにする。
更に、本発明のフォーカルプレンシャッタにおいては、好ましくは、前記押さえ部材が前記地板の一方に形成された窓に臨んでおり、前記セット部材はセット位置において該窓を覆うようにする。
【０００９】
【発明の実施の形態】
本発明の実施の形態を、図１〜図４に示した実施例で説明する。尚、図１は本実施例の平面図であって、露光作動の終了直後の状態を示したものである。図２は図１のＡ−Ａ線断面図であって且つ要部の構成のみを示した図であるが、先羽根と後羽根については、図１の中央部で切断した状態を示している。また、図３は本実施例の平面図であって、セット状態を示したものである。図４は図３のＢ−Ｂ線断面図であって、図２と同じ条件で描いたものである。
【００１０】
先ず、本実施例の構成から説明する。シャッタ地板１は合成樹脂製であって、略中央部に開口部１ａを有している。周知のように、シャッタ地板１の背面側には、順に中間板２と補助地板３が取り付けられ、シャッタ地板１と中間板２との間には先羽根用の羽根室が、また中間板２と補助地板３との間には後羽根用の羽根室が構成されている。これらの３枚の板１，２，３の取り付け方については、あとで説明する。これらのうち中間板２と補助地板３にも、それらの略中央部に開口部が形成されていて、上記の開口部１ａとの合成により、略長方形をしたシャッタユニットとしての露光用開口部を形成している。
【００１１】
シャッタ地板１には、二つの円弧状の孔１ｂ，１ｃが形成されており、また表面側には軸１ｄ，１ｅ，１ｆが立設され、背面側には軸１ｇ，１ｈ，１ｉ，１ｊが立設されている。また、軸１ｄ，１ｅ，１ｆの先端には、図２に示すように、シャッタ地板１と平行になるようにして上地板４が取り付けられている。この上地板４は、図１においては、開口部１ａの左側において、上下方向に長い略長方形をしており、周知のため図示していないがシャッタ地板１に面して先羽根用電磁石と後羽根用電磁石とを取り付けている。
【００１２】
また、軸１ｄ，１ｅは、図１において、シャッタ地板１の背面側にも突き出ていて、上記した中間板２と補助地板３とは、軸１ｄ，１ｅ，１ｉ，１ｊに取り付けられている。図２に示すように、このうち補助地板３は、シャッタ地板１と略平行になるようにして固定されているが、中間板２は軸１ｉ，１ｊの小径部に対して緩く嵌合され、シャッタ地板１に対して斜めになるようにして取り付けられている。このような中間板２の取り付け方は周知であるため、その理由の説明は省略する。尚、上記の軸１ｉ，１ｊの小径部には、円筒状の間座５，６が緩く嵌合しているが、この構成も周知である。
【００１３】
シャッタ地板１と上地板４との間において、軸１ｄ，１ｅには、夫々、合成樹脂製の先羽根用駆動部材７と後羽根用駆動部材８が回転可能に取り付けられている。これらの駆動部材７，８は、形状こそ違うが、実質的には同じ構成をしており、夫々、断面が蒲鉾状をした作動ピン７ａ，８ａと、被押動部７ｂ，８ｂとを有している。また、図面を見やすくするために省略してあるが、これらの駆動部材７，８には、周知の鉄片部材が取り付けられており、夫々、セット位置において上記した先羽根用電磁石と後羽根用電磁石に吸着され得るようになっている。更に、これらの駆動部材７，８は、夫々、図示していない駆動ばねによって時計方向に回転するように付勢されている。
【００１４】
本実施例においては、先羽根は、二つのアーム９，１０と、それらに枢支された２枚の羽根１１，１２で構成されており、アーム９，１０はシャッタ地板１の軸１ｄ，１ｇに枢着されている。そして、アーム９には明示されていない孔が形成されていて、その孔に、シャッタ地板１の孔１ｂを貫通した作動ピン７ａが嵌合している。また、羽根１１は、スリット形成用の羽根であって、二つの連結軸１３，１３によってアーム９，１０の先端部に枢支されている。また、羽根１２は、二つの連結軸１４，１４によってアーム９，１０に枢支されている。これらの枢支構成は周知であって、各連結軸は、その一端が羽根にかしめられていて、各アームの孔に回転可能に嵌合されている。
【００１５】
本実施例の後羽根は、二つのアーム１５，１６と、それらに枢支された３枚の羽根１７，１８，１９で構成されており、アーム１５，１６はシャッタ地板１の軸１ｅ，１ｈに枢着されている。そして、アーム１５には明示されていない孔が形成されていて、その孔に、シャッタ地板１の孔１ｃを貫通した作動ピン８ａが嵌合している。また、羽根１７は、スリット形成用の羽根であって、二つの連結軸２０，２０によってアーム１５，１６の先端部に枢支されている。また、羽根１８，１９は、夫々、二つの連結軸２１，２１及び２２，２２によってアーム１５，１６に枢支されている。
【００１６】
シャッタ地板１と上地板４との間において、軸１ｆには、合成樹脂製のセット部材２３が回転可能に取り付けられている。このセット部材２３には、軸１ｆに嵌合する筒部２３ａ、先羽根用駆動部材７の被押動部７ｂを押す押動部２３ｂ、後羽根用駆動部材８の被押動部８ｂを押す押動部２３ｃ、図示していないカメラ本体側の部材によって押される肉厚部２３ｄが形成されており、図示していないばねによって反時計方向へ回転するように付勢されている。また、図１の背面側に向けて、図示していない突起部が形成されており、その突起部はシャッタ地板１に形成された円弧状の孔１ｋに挿入されている。そのため、図１は、その突起部が孔１ｋの長手方向の一端に当接し、セット部材２３の反時計方向への回転が停止されている状態を示している。
【００１７】
また、シャッタ地板１には、セット部材２３の近傍位置に窓１ｍが形成されている。そして、シャッタ地板１に一体成形加工によって形成された押さえ部１ｎが、その窓１ｍに面するようになっている。この押さえ部１ｎは、可撓性を有していて、図２から分かるように、その先端がシャッタ地板１の表面より突き出ていて、セット部材２３の背面で押され得るように構成されている。また、その先端は、セット部材２３の背面で押されたとき、先羽根の羽根室内に押し込まれるようになっている。
【００１８】
更に、シャッタ地板１には、円弧状をした孔１ｂの長手方向の一端部近傍位置に、起立部１ｐが形成されている。そして、その起立部１ｐの側面には、緩衝部材２４が接着されている。この緩衝部材２４はブチルゴム等の弾性材料で製作されており、その一部を作動ピン７ａの作動軌跡内に臨ませている。また、もう一つの円弧状をした孔１ｃの一端部には、周知のようにして馬蹄形をした緩衝部材２５が嵌め込まれている。この緩衝部材２５もブチルゴム等の弾性材料で製作されており、作動ピン８ａが、それに衝突するようになっている。
【００１９】
次に、本実施例の作動を説明する。既に述べたように、図１及び図２は露光作動の終了状態を示している。そのため、先羽根用駆動部材７と後羽根用駆動部材８は、図示していない夫々の駆動ばねによって時計方向へ回転され、夫々の作動ピン７ａ，８ａを緩衝部材２４，２５に当接させて停止している。また、この状態においては、アーム９，１０，１５，１６は時計方向へ回転された状態にあり、先羽根の各分割羽根１１，１２は重畳し、開口部１ａの下方位置に格納されており、後先羽根の各分割羽根１７，１８，１９は展開し、開口部１ａを覆っている。更に、セット部材２３は、上記したように、図示していないばねによって反時計方向へ回転され、図示を省略した突起部が孔１ｋの一端に当接して停止されている。
【００２０】
この状態から、フィルムの巻き上げ機構に連動して、図示していないカメラ本体側の部材が、肉厚部２３ｄを押して、セット部材２３を時計方向へ回転させる。それによって、先ず、セット部材２３の押動部２３ｂが、先羽根用駆動部材７の被押動部７ｂを押し、図示していない先羽根用駆動ばねの力に抗して先羽根用駆動部材７を反時計方向へ回転させる。そのため、アーム９が作動ピン７ａによって反時計方向へ回転され、羽根１１，１２を上方へ展開させていく。そして、先羽根のスリット形成羽根１１の一部が、後羽根のスリット形成羽根１７に重なった段階で、セット部材２３の押動部２３ｃが、後羽根用駆動部材８の被押動部８ｂを押し始める。
【００２１】
それによって、後羽根用駆動部材８は、図示していない後羽根用駆動ばねに抗して反時計方向へ回転され、その作動ピン８ａによってアーム１５時計方向へ回転させる。その結果、羽根１７，１８，１９は上方へ重畳されていくが、この間、夫々のスリットを形成する羽根１１，１７は、それらの一部を十分に重合させているので、フィルムが露光されてしまうようなことはない。他方、セット部材２３は、時計方向への回転を続けると、やがて、その背面部が、押さえ部１ｎの先端を、先羽根の羽根室内に向けて押していく。
【００２２】
このようなシャッタのセット作動は、カメラ本体側の部材によるセット部材２３の回転が停止した段階で終了する。その状態が、図３及び図４に示されている。そして、次の撮影が行われるまで、この状態は維持される。このセット状態においては、各駆動部材７，８に設けられている周知の図示していない各鉄片部材が、同じく周知であるため図示していない先羽根用電磁石及び後羽根用電磁石に、夫々接触している。また、先羽根を構成している２枚の分割羽根１１，１２は展開して開口部１ａを覆っており、後羽根を構成している３枚の分割羽根１７，１８，１９は重畳して開口部１ａの上方位置に格納されている。
【００２３】
更に、図４から分かるように、このセット状態においては、セット部材２３によって押された押さえ部１ｎが、先羽根の羽根室内において、アーム９と羽根１２との連結軸１４を押している。そのため、羽根１２は中間板２に押し付けられている。また、上記の連結軸１４を介してアーム９が押されるため、もう一つの羽根１１もアーム９を介して同一方向へ押されている。従って、羽根１１，１２の重合部は密着され、この状態が長時間続いても、それらの間からの漏光によってフィルムが感光し、次の撮影に差し支えが生じてしまうようなことはない。
【００２４】
ところで、図３において明示していないが、中間板２の外形は、シャッタ地板１の外形とは異なっている。特に、開口部１ａの左側の形状が複雑な形状をしていて、その端縁の一部が、平面的に見て窓１ｍに近い位置にある。また、図示していないが、カメラ本体側の部品であるミラーボックスの壁が、シャッタ地板１に近接して配置されているので、光が、円弧状の孔１ｂ，１ｃ，１ｋから進入することについては余り心配しなくてよい。しかし、セット部材２３の肉厚部２３ｄはカメラ本体側の部材によって押されることから、その肉厚部２３ｄの作動領域は遮光度が低く、どうしても光が窓１ｍから進入してしまう。そして、その光が、中間板２の端縁を回り込み漏光の要因となってしまう。ところが、本実施例においては、セット状態において、セット部材２３が窓１ｍを覆っているので、入射光を低減でき、漏光による実害が生じないようになっている。
【００２５】
そこで、このようなセット状態から次の撮影が行われる場合について説明する。先ず、カメラのレリーズボタンが押されると、測光装置や測距装置が働くと同時に上記した図示していない二つの電磁石に通電される。その後、カメラ本体側の部材が退いていくので、セット部材２３は追従し、図示していないばねによって反時計方向へ回転する。この回転によって、押動部２３ｃ，２３ｂが順次被押動部８ｂ，７ｂから離れるが、各駆動部材７，８に設けられた図示していない鉄片部材が上記の各電磁石によって吸着保持されているので、各駆動部材７，８は露光作動を開始しない。他方、セット部材２３による押圧が解かれ、押さえ部１ｎが自己の弾性力で原位置に復帰するので、その先端部が先羽根の羽根室から退去し、先羽根に対する押圧力も解かれる。
【００２６】
セット部材２３が、図１に示す初期位置へ復帰してから、先羽根用電磁石に対する通電が断たれると、先羽根用駆動部材７は、図示していない先羽根用駆動ばねによって急速に時計方向へ回転する。それによって、アーム９は時計方向へ回転され、羽根１１，１２は重畳されつつ下方へ作動する。所定時間後に、後羽根用電磁石に対する通電が断たれることによって、後羽根用駆動部材８も、図示していない後羽根用駆動ばねによって急速に時計方向へ回転する。そのため、羽根１７，１８，１９は、展開しつつ下方へ作動する。そして、先羽根のスリット形成羽根１１と後羽根のスリット形成羽根１７によって形成されたスリット幅によってフィルムが露光される。
【００２７】
このような露光作動の最後においては、先羽根用駆動部材７は、その作動ピン７ａが緩衝部材２４に衝突し、衝撃力を吸収されて停止し、後羽根用駆動部材８は、その作動ピン８ａが緩衝部材２５に衝突し、停止する。その状態が、図１及び図２に示された状態である。このようにして、露光作動が終了すると、自動的にフィルムの巻き上げが行われ、それに連動して、上記したようにシャッタのセット作動が行われる。
【００２８】
尚、上記の実施例においては、押さえ部１ｎが、アーム９と羽根１２との連結軸１４を押すようにしたが、本発明は、そのような態様に限定されず、アーム１０と羽根１２との連結軸１４を押すようにしてもよいし、両者を押すようにしても差し支えない。また、複数の連結軸を押す場合には押さえ部を複数設けても構わない。また、押さえ部は、連結軸を押すのではなく、直接、羽根を押すようにしても構わない。上記の実施例においては、先羽根を構成する分割羽根が２枚であるが、本発明は、その枚数に限定されるものではない。また、上記の実施例においては、押さえ部１ｎが、シャッタ地板１と一体成形にて形成されているが、シャッタ地板１とは別の押さえ部材として製作し、それをシャッタ地板１に取り付けるようにしても差し支えない。
【００２９】
更に、上記の実施例においては、軸１ｄ，１ｅ，１ｆがシャッタ地板１に立設されているが、本発明は、少なくともそれらの一つが補助地板３に立設されており、図１においてシャッタ地板１の表面側に突き出すように構成されたシャッタにも適用することが可能である。また、駆動部材とアーム（例えば、実施例における駆動部材７とアーム９）を合成樹脂で一体成形するようにしたシャッタも過去に提案されているが、本発明は、そのようなものにも適用が可能である。更にまた、上記の実施例は、各駆動部材７，８に鉄片部材を設けている所謂ダイレクトタイプのフォーカルプレンシャッタとして説明したが、本発明は、そのようなタイプのシャッタに限定されるものではなく、往復作動を行うセット部材が、セット作動後にはその位置に留まり、次の撮影に際して、露光作動が行われる直前に、初期位置へ復帰するようにしたシャッタであれば、どのようなタイプのフォーカルプレンシャッタにも適用し得るものである。
【００３０】
【発明の効果】
上記のように、本発明によれば、低コストで製作できる簡単な構成によって、先羽根を構成している複数の分割羽根がセット位置にあるとき、それらの分割羽根間から漏光するのを防止することが可能となる。また、押さえ部材と地板とを合成樹脂で一体成形することによって、その効果は顕著となる。
【図面の簡単な説明】
【図１】本発明の実施例の平面図であって、露光作動の終了直後の状態を示したものである。
【図２】図１のＡ−Ａ線断面図であって且つ要部の構成のみを示した図であるが、先羽根と後羽根については、図１の中央部で切断した状態で示している。
【図３】実施例の平面図であって、セット状態を示したものである。
【図４】図３のＢ−Ｂ線断面図であって、図２と同じ条件で描いたものである。
【符号の説明】
１                          シャッタ地板
１ａ                        開口部
１ｂ，１ｃ，１ｋ            孔
１ｄ，１ｅ，１ｆ，１ｇ，１ｈ，１ｉ，１ｊ  軸
１ｍ                        窓
１ｎ                        押さえ部
１ｐ                        起立部
２                          中間板
３                          補助地板
４                          上地板
５，６                      間座
７                          先羽根用駆動部材
７ａ，８ａ                  作動ピン
７ｂ，８ｂ                  被押動部
８                          後羽根用駆動部材
９，１０，１５，１６        アーム
１１，１２，１７，１８，１９  羽根
１３，１４，２０，２１，２２  連結軸
２３                        セット部材
２３ａ                      筒部
２３ｂ，２３ｃ              押動部
２３ｄ                      肉厚部
２４，２５                  緩衝部材
【図１】
0003801715.tif 000002
【図２】
0003801715.tif 000003
【図３】
0003801715.tif 000004
【図４】
0003801715.tif 000005